(57)【要約】【課題】本発明は、様々な位置から２次元測色計で適切に表示装置を測色でき、測色結果に基づきユーザの所在位置に応じて表示状態を調整できる表示システム、表示装置測定方法および該プログラムならびに表示装置を提供する。【解決手段】表示システムＤＳは、２次元測色部を備える２次元測色計ＭＤと、２次元測色部の測色結果における位置の第１座標を表示装置ＤＰの表示面における位置の第２座標に一致するように補正する位置座標補正部２２２と、ユーザの所在位置を検出し、複数の測色位置それぞれから表示部の表示面を２次元測色計によって２次元で測色して位置座標補正部２２２で補正した補正後の複数の測色結果に複数の測色位置それぞれを対応付けた測色情報を記憶し、そして、ユーザの所在位置と測色情報とに基づいてその所在位置から表示面を見た場合に目標の見え方となるように表示部の表示状態を調整する表示装置ＤＰとを備える。【選択図】図１
2017107052.tif 000002
【特許請求の範囲】
【請求項１】
測定対象を２次元で測色する２次元測色計と、所定の表示を行う表示装置とを備える表示システムであって、
前記２次元測色計は、前記測定対象を２次元で測色する２次元測色部を備え、
前記表示装置は、
表示面に表示を行う表示部と、
前記表示面に対するユーザの所在位置を検出する位置検出部と、
前記表示面に対する複数の測色位置それぞれから前記表示面を前記測定対象として前記２次元測色計によって２次元で測色し、そして、後記位置座標補正部で補正した補正後の複数の測色結果に前記複数の測色位置それぞれを対応付けた測色情報を記憶する測色情報記憶部と、
前記位置検出部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備え、
当該表示システムは、
前記２次元測色部で測色した測色結果における位置の第１座標を、前記表示装置の表示面における位置の第２座標に一致するように、補正する位置座標補正部を備えること
を特徴とする表示システム。
【請求項２】
前記表示調整部は、前記位置検出部で検出した所在位置と前記測色情報記憶部に記憶された前記測色情報とに基づいて、前記ユーザの前記所在位置から前記表示面を見た場合に予め設定された目標の見え方となるように、前記表示面上の位置に応じた調整値で、前記表示部の表示状態を調整すること
を特徴とする請求項１に記載の表示システム。
【請求項３】
前記表示装置は、さらに、
基準位置を表す複数の基準位置画像を含む補正用画像を記憶する補正用画像情報記憶部と、
前記補正用画像を前記表示部の表示面に表示させる制御部とを備え、
前記位置座標補正部は、前記２次元測色計に備えられ、前記表示部の表示面に表示された前記補正用画像における前記複数の基準位置画像に基づいて、前記２次元測色部で測色した測色結果における位置の第１座標を、前記表示装置の表示面における位置の第２座標に一致するように、補正すること
を特徴とする請求項１または請求項２に記載の表示システム。
【請求項４】
前記補正用画像における前記複数の基準位置画像は、単色または白色であること
を特徴とする請求項３に記載の表示システム。
【請求項５】
前記補正用画像は、背景が前記複数の基準位置画像の表示色と異なる白色または単色であること
を特徴とする請求項３または請求項４に記載の表示システム。
【請求項６】
前記２次元測色計は、さらに、前記補正後の測定結果を前記表示装置へ出力する測色側インターフェース部を備え、
前記表示装置は、さらに、
前記測色側インターフェース部から出力された前記補正後の測色結果を取得する表示側インターフェース部と、
前記表示側インターフェース部で取得した前記補正後の測色結果を前記測色情報として前記測色情報記憶部に記憶する測色情報記憶処理部とを備えること
を特徴とする請求項１ないし請求項５のいずれか１項に記載の表示システム。
【請求項７】
表示面に対するユーザの所在位置を検出する位置検出部と、前記表示面に対する複数の測色位置それぞれから前記表示面を測定対象として２次元測色計によって２次元で測色された複数の測色結果に前記複数の測色位置それぞれを対応付けた測色情報が記憶された測色情報記憶部と、前記位置検出部で検出した所在位置と前記測色情報記憶部に記憶された前記測色情報とに基づいて、前記ユーザの前記所在位置から前記表示面を見た場合に予め設定された目標の見え方となるように前記表示部の表示状態を調整する表示調整部とを備えた表示装置の表示面を測定する表示装置測定方法であって、
前記２次元測色計によって、前記測定対象を２次元で測色する２次元測色工程と、
前記２次元測色工程で測色した測色結果における位置の第１座標を、前記表示装置の表示面における位置の第２座標に一致するように、補正する位置座標補正工程と、
前記表示面に対する複数の測色位置それぞれから前記表示面を前記測定対象として前記２次元測色工程によって２次元で測色し、そして、前記位置座標補正工程で補正した補正後の複数の測色結果に前記複数の測色位置それぞれを対応付けた測色情報を前記表示装置の測色情報記憶部に記憶させる測色情報記憶工程とを備えること
を特徴とする表示装置測定方法。
【請求項８】
表示面に対するユーザの所在位置を検出する位置検出部と、前記表示面に対する複数の測色位置それぞれから前記表示面を測定対象として２次元測色計によって２次元で測色された複数の測色結果に前記複数の測色位置それぞれを対応付けた測色情報が記憶された測色情報記憶部と、前記位置検出部で検出した所在位置と前記測色情報記憶部に記憶された前記測色情報とに基づいて、前記ユーザの前記所在位置から前記表示面を見た場合に予め設定された目標の見え方となるように前記表示部の表示状態を調整する表示調整部とを備えた表示装置の表示面を測定する表示装置測定プログラムであって、
前記２次元測色計によって、前記測定対象を２次元で測色する２次元測色工程と、
前記２次元測色工程で測色した測色結果における位置の第１座標を、前記表示装置の表示面における位置の第２座標に一致するように、補正する位置座標補正工程と、
前記表示面に対する複数の測色位置それぞれから前記表示面を前記測定対象として前記２次元測色工程によって２次元で測色し、そして、前記位置座標補正工程で補正した補正後の複数の測色結果に前記複数の測色位置それぞれを対応付けた測色情報を前記表示装置の測色情報記憶部に記憶させる測色情報記憶工程とを備えること
を特徴とする表示装置測定プログラム。
【請求項９】
請求項１ないし請求項６のいずれか１項に記載の表示システムに用いられる表示装置。
【請求項１０】
表示面に表示を行う表示部と、
前記表示面に対するユーザの所在位置を検出する位置検出部と、
前記表示面に対する複数の測色位置それぞれから前記表示面を２次元で測色した複数の測色結果それぞれにおける位置の第１座標を前記表示面における位置の第２座標に一致するようにそれぞれ補正した補正後の複数の測色結果に、前記複数の測色位置それぞれを対応付けた測色情報を記憶する測色情報記憶部と、
前記位置検出部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備えること
を特徴とする表示装置。
【発明の詳細な説明】
【技術分野】
【０００１】
本発明は、表示装置と２次元測色計とを備える表示システムおよびこれに用いられた前記表示装置に関し、特に、ユーザの所在する、表示面に対する所在位置に応じて表示状態（表示出力）を調整できる表示システム、表示装置測定方法、表示装置測定プログラムならびに表示装置に関する。
【背景技術】
【０００２】
従来、様々な表示装置が研究、開発され、提案されている。例えば、特許文献１に開示された表示装置は、ユーザの存在を検知するセンサを搭載した表示装置であって、前記センサの検出結果をもとに前記ユーザの位置を算出し、前記ユーザの位置に応じて出力態様を変更するセンサ処理部を備える。より具体的には、センサ処理部は、ユーザの位置に応じて、画面表示される文字情報の制御、映像調整、音声調整、タッチパネルでの操作アイコン表示調整を行う。より詳しくは、前記映像調整として、ユーザがテレビの近くにいると判断した場合、センサ処理部は、輝度を低くし、逆に、ユーザがテレビから遠い位置にいると判断した場合、センサ処理部は、輝度を高くする（特許文献１の例えば［００２４］段落等）。
【０００３】
また、特許文献２には、プロジェクター等の表示装置における色均一性の劣化を解消するために、表示装置を２次元で測色することが開示されている（特許文献２の例えば［０００４］段落等）。このために、特許文献２に開示された色測定装置は、表示装置１に表示された表示画像を撮像する３つのモノクロ式カメラ２１〜２３と、これらのカメラに１つずつ設けられた三刺激値の３つのフィルターとしてのＸフィルター３１、Ｙフィルター３２、およびＺフィルター３３と、画像処理装置およびコンピュータ装置などで構成された制御部４０と、表示装置１にパターン画像や被測定画像などの表示画像を表示する信号を発生する信号発生部５０と、分光型色彩輝度計である基準色度計６０とを備えている（特許文献２の［００１８］段落）。そして、特許文献２に開示された色測定装置は、格子状のパターン（クロスパターン）９を含むパターン画像を表示装置１に表示し（特許文献２の［００２３］段落）、カメラ２１〜２３で同時に撮像し、撮像された画像（パターン撮像画像）をカメラ２１〜２３から制御部４０に取り込む（特許文献２の［００２４］段落）。ここで、カメラ２１〜２３のそれぞれの位置が表示装置１の表示画像に正対する位置から若干ずれていることにより、各パターン撮像画像は、台形状の歪を持つので（特許文献２の［００２４］段落）、特許文献２に開示された色測定装置は、画像位置補正部４２により、所定の校正画像に基づいて、図４〜図６の各パターン撮像画像の画像位置を補正するとともに、これら３枚のパターン撮像画像を合成している。より具体的には、パターン撮像画像の四隅の各座標と、パターン画像を撮像した歪みのない校正画像の四隅の各座標とから、画像位置が補正されている（特許文献２の［００２５］段落）。
【先行技術文献】
【特許文献】
【０００４】
【特許文献１】特開２０１１−２４７９８３号公報
【特許文献２】特開２０１２−２５２１０９号公報
【発明の概要】
【発明が解決しようとする課題】
【０００５】
ところで、表示装置には、表示面の中央位置を通る表示面の法線方向を基準とした、ユーザの表示面を見る角度によって見え方が異なることがある。特に、液晶表示装置では、前記見え方は、前記角度に依存し、前記法線上から前記表示面における前記法線を含む小領域を見た見え方を正常な見え方と定義し、前記正常な見え方と同等に見える前記角度の範囲が視野角として規定されている。このため、ユーザが所在する、表示面に対する位置（所在位置）によっては、前記ユーザは、前記視野角を外れた前記角度から前記表示面を見ることとなり、このような状況では、前記正常な見え方と異なった見え方となってしまい、表示状態（表示出力）の調整が望まれる。特に、近年では、表示面の大きさが大型化しているため、このような状況に成り易く、前記表示状態（表示出力）の調整が一層望まれる。また、表示面の大きさが大型化すると、ユーザの所在位置が表示面の中央位置を通る表示面の法線上にあっても、すなわち、ユーザが前記法線方向から表示面を見ていても、表示面の周辺部分では、ユーザは、大きな角度で前記周辺部分を見込むこととなるため、前記正常な見え方と異なった見え方となってしまい、やはり、前記表示状態（表示出力）の調整が望まれる。
【０００６】
前記特許文献１に開示された表示装置は、テレビとユーザとの距離に応じて輝度を表示面全体で一律に調整しているだけであるので、前記状況での見え方を改善することは、難しい。
【０００７】
前記状況での見え方を改善するためには、表示装置を２次元で測色する必要があり、この場合、前記特許文献２に開示された校正画像に基づく光学系の歪補正が必要となる。しかしながら、前記特許文献２は、表示装置における色均一性の劣化の解消を目的としているため、表示装置１に正対する位置しか考慮されていない。このため、前記特許文献２では、表示装置に対する様々な位置での見え方は、考慮されてなく、やはり、前記状況での見え方を改善することは、難しい。
【０００８】
本発明は、上述の事情に鑑みて為された発明であり、その目的は、表示装置に対する様々な位置で、２次元測色計の光学系による影響を補正しながら前記表示装置を測色でき、この測色結果に基づき、表示面に対するユーザの所在する所在位置に応じて表示状態（表示出力）を調整できる表示システム、表示装置測定方法、表示装置測定プログラムならびにこれに用いられる表示装置を提供することである。
【課題を解決するための手段】
【０００９】
本発明者は、種々検討した結果、上記目的は、以下の本発明により達成されることを見出した。すなわち、本発明の一態様にかかる表示システムは、測定対象を２次元で測色する２次元測色計と、所定の表示を行う表示装置とを備える表示システムであって、前記２次元測色計は、前記測定対象を２次元で測色する２次元測色部を備え、前記表示装置は、表示面に表示を行う表示部と、前記表示面に対するユーザの所在位置を検出する位置検出部と、前記表示面に対する複数の測色位置それぞれから前記表示面を前記測定対象として前記２次元測色計によって２次元で測色し、そして、後記位置座標補正部で補正した補正後の複数の測色結果に前記複数の測色位置それぞれを対応付けた測色情報を記憶する測色情報記憶部と、前記位置検出部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備え、当該表示システムは、前記２次元測色部で測色した測色結果における位置の第１座標を、前記表示装置の表示面における位置の第２座標に一致するように、補正する位置座標補正部を備えることを特徴とする。好ましくは、上述の表示システムにおいて、前記位置座標補正部は、前記２次元測色計および前記表示装置のうちのいずれか一方に備えられる。好ましくは、上述の表示システムにおいて、前記２次元測色計および前記表示装置とは別体の情報処理装置をさらに備え、前記位置座標補正部は、前記情報処理装置に備えられる。好ましくは、上述の表示システムにおいて、前記表示状態（表示出力）は、輝度および色度のうちの少なくとも一方である。上述の表示システムにおいて、前記目標の見え方は、予め定義された所定の見え方であって良く、好ましくは、前記目標の見え方は、表示面の中央位置を通る表示面の法線上から前記表示面の前記中央位置を見た場合における見え方（正常な見え方）であって良く、好ましくは、前記目標の見え方は、表示面における、ユーザの所在位置を通る表示面の法線を含む所定広さの領域を前記法線上から見た場合における見え方（ユーザの所在位置での見え方）であって良い。好ましくは、上述の表示装置において、前記表示調整部は、前記測色情報記憶部に記憶された前記測色情報から前記位置検出部で検出した所在位置に応じた前記補正後の測色結果を取り出し、前記取り出した前記補正後の測色結果と前記目標の見え方との差を補償するように前記表示部における各画素の出力を調整することで、前記表示部の表示状態を調整する。好ましくは、上述の表示装置において、前記表示調整部は、前記測色情報記憶部に記憶された前記測色情報に、前記位置検出部で検出した所在位置に当たる前記補正後の測色結果が無い場合に、前記測色情報記憶部に記憶された前記測色情報から前記位置検出部で検出した所在位置に近い順に選択した複数（例えば４個や１２個等）の測色位置に対応する複数の前記補正後の測色結果に基づいて、補間（例えば線形補間やスプライン補間やラグランジュ補間等）によって前記位置検出部で検出した所在位置に応じた測色結果を生成する。
【００１０】
このような表示システムでは、表示装置は、前記位置検出部で検出した所在位置と前記測色情報記憶部に記憶された前記測色情報とに基づいて、前記ユーザの所在位置から前記表示面を見た場合に予め設定された目標の見え方となるように、前記表示部の表示状態を調整する表示調整部を備えるので、表示面に対するユーザの所在する所在位置に応じて表示状態（表示出力）を調整できる。この表示状態の調整のために、上記表示装置は、前記表示面に対する複数の測色位置それぞれから前記表示面を前記測定対象として前記２次元測色計によって２次元で測色し、そして、前記位置座標補正部によって補正された前記補正後の複数の測色結果を前記測色情報として測色情報記憶部に記憶する。２次元測色計は、複数の測色位置それぞれから前記表示面を見込むので、２次元測色部で得られる前記表示面の像は、例えば台形状に歪むが、上記表示システムは、前記測色結果における位置の第１座標を、前記表示装置の表示面における位置の第２座標に一致するように、補正する位置座標補正部を備えるので、前記表示装置に対する様々な測色位置で２次元測色計によって適切に前記表示装置を測色できる。したがって、上記表示システムは、前記表示装置に対する様々な測色位置で、２次元測色計の光学系による影響を補正しながら前記表示装置を測色でき、この測色結果に基づき、表示面に対するユーザの所在する所在位置に応じて表示状態（表示出力）を調整できる。
【００１１】
また、他の一態様では、上述の表示システムにおいて、前記表示調整部は、前記位置検出部で検出した所在位置と前記測色情報記憶部に記憶された前記測色情報とに基づいて、前記ユーザの前記所在位置から前記表示面を見た場合に予め設定された目標の見え方となるように、前記表示面上の位置に応じた調整値で、前記表示部の表示状態を調整することを特徴とする。好ましくは、上述の表示システムにおいて、前記測色結果は、前記表示面を複数に分けた複数の領域それぞれに対する複数の測定値を含み、前記表示調整部は、前記測色情報記憶部に記憶された前記測色情報から前記位置検出部で検出した所在位置に応じた測色結果を取り出し、前記表示部における各画素ごとに、前記取り出した測色結果と前記目標の見え方との差を補償するように前記表示面上の位置に応じた調整値をそれぞれ生成し、前記生成した各調整値で前記表示部における各画素の出力を調整することで、前記表示部の表示状態を調整する。
【００１２】
ユーザは、表示面の各位置を、前記各位置に応じた各角度で見込むため、前記各位置に応じた各見え方で見えることになる。このような表示システムでは、表示装置は、前記表示面上の位置に応じた調整値で、前記表示部の表示状態を調整するので、前記各位置に応じた各見え方を個々に調整できる。
【００１３】
また、他の一態様では、これら上述の表示システムにおいて、前記表示装置は、さらに、基準位置を表す複数の基準位置画像を含む補正用画像を記憶する補正用画像情報記憶部と、前記補正用画像を前記表示部の表示面に表示させる制御部とを備え、前記位置座標補正部は、前記２次元測色計に備えられ、前記表示部の表示面に表示された前記補正用画像における前記複数の基準位置画像に基づいて、前記２次元測色部で測色した測色結果における位置の第１座標を、前記表示装置の表示面における位置の第２座標に一致するように、補正することを特徴とする。好ましくは、上述の表示システムにおいて、前記補正用画像における前記複数の基準位置画像は、所定の第１方向に沿って互いに所定の第１間隔を空けて平行に並置され、前記第１方向に直交する第２方向に沿って延びる複数の第１線状画像と前記第２方向に沿って互いに所定の第２間隔を空けて平行に並置され、前記第１方向に沿って延びる複数の第２線状画像との各交点である。言い換えれば、前記補正用画像は、好ましくは、クロスハッチ（クロスパターン）である。好ましくは、上述の表示システムにおいて、前記補正用画像における前記複数の基準位置画像は、２次元マトリクス状に配置された各点である。言い換えれば、前記補正用画像は、好ましくは、ドットパターンである。
【００１４】
このような表示システムでは、２次元測色計は、同一の基準位置画像において、表示装置でのその位置の座標値と２次元測色計でのその位置の座標値とを対比することで、より簡単に補正できる。
【００１５】
また、他の一態様では、上述の表示システムにおいて、前記補正用画像における前記複数の基準位置画像は、単色または白色である。好ましくは、より高いＳＮ比を得るために、上述の表示システムにおいて、前記補正用画像における前記複数の基準位置画像は、緑色である。
【００１６】
このような表示システムでは、基準位置画像が単色または白色であるので、２次元測色計は、基準位置画像を検出し易い。
【００１７】
また、他の一態様では、これら上述の表示システムにおいて、前記補正用画像は、背景が前記複数の基準位置画像の表示色と異なる白色または単色であることを特徴とする。
【００１８】
このような表示システムでは、補正用画像の背景が前記複数の基準位置画像の表示色と異なる白色または単色であるので、２次元測色計は、基準位置画像を検出し易い。
【００１９】
また、他の一態様では、これら上述の表示システムにおいて、前記２次元測色計は、さらに、前記補正後の測定結果を前記表示装置へ出力する測色側インターフェース部を備え、前記表示装置は、さらに、前記測色側インターフェース部から出力された前記補正後の測色結果を取得する表示側インターフェース部と、前記表示側インターフェース部で取得した前記補正後の測色結果を前記測色情報として前記測色情報記憶部に記憶する測色情報記憶処理部とを備えることを特徴とする。
【００２０】
このような表示システムでは、表示装置は、２次元測色計で測色した補正後の測色結果を２次元測色計から取得するので、自動的に、前記補正後の測色結果を前記測色情報として前記測色情報記憶部に記憶できる。
【００２１】
そして、本発明の他の一態様にかかる表示装置測定方法は、表示面に対するユーザの所在位置を検出する位置検出部と、前記表示面に対する複数の測色位置それぞれから前記表示面を測定対象として２次元測色計によって２次元で測色された複数の測色結果に前記複数の測色位置それぞれを対応付けた測色情報が記憶された測色情報記憶部と、前記位置検出部で検出した所在位置と前記測色情報記憶部に記憶された前記測色情報とに基づいて、前記ユーザの前記所在位置から前記表示面を見た場合に予め設定された目標の見え方となるように前記表示部の表示状態を調整する表示調整部とを備えた表示装置の表示面を測定する表示装置測定方法であって、前記２次元測色計によって、前記測定対象を２次元で測色する２次元測色工程と、前記２次元測色工程で測色した測色結果における位置の第１座標を、前記表示装置の表示面における位置の第２座標に一致するように、補正する位置座標補正工程と、前記表示面に対する複数の測色位置それぞれから前記表示面を前記測定対象として前記２次元測色工程によって２次元で測色し、そして、前記位置座標補正工程で補正した補正後の複数の測色結果に前記複数の測色位置それぞれを対応付けた測色情報を前記表示装置の測色情報記憶部に記憶させる測色情報記憶工程とを備えることを特徴とする。
【００２２】
さらに、本発明の他の一態様にかかる表示装置測定プログラムは、表示面に対するユーザの所在位置を検出する位置検出部と、前記表示面に対する複数の測色位置それぞれから前記表示面を測定対象として２次元測色計によって２次元で測色された複数の測色結果に前記複数の測色位置それぞれを対応付けた測色情報が記憶された測色情報記憶部と、前記位置検出部で検出した所在位置と前記測色情報記憶部に記憶された前記測色情報とに基づいて、前記ユーザの前記所在位置から前記表示面を見た場合に予め設定された目標の見え方となるように前記表示部の表示状態を調整する表示調整部とを備えた表示装置の表示面を測定する表示装置測定プログラムであって、前記２次元測色計によって、前記測定対象を２次元で測色する２次元測色工程と、前記２次元測色工程で測色した測色結果における位置の第１座標を、前記表示装置の表示面における位置の第２座標に一致するように、補正する位置座標補正工程と、前記表示面に対する複数の測色位置それぞれから前記表示面を前記測定対象として前記２次元測色工程によって２次元で測色し、そして、前記位置座標補正工程で補正した補正後の複数の測色結果に前記複数の測色位置それぞれを対応付けた測色情報を前記表示装置の測色情報記憶部に記憶させる測色情報記憶工程とを備えることを特徴とする。
【００２３】
このような表示装置測定方法および表示装置測定プログラムは、前記表示装置に対する様々な測色位置で、２次元測色計の光学系による影響を補正しながら前記表示装置を測色でき、この測色結果に基づき、表示面に対するユーザの所在する所在位置に応じて表示状態（表示出力）を調整できる。
【００２４】
そして、本発明の他の一態様にかかる表示装置は、これらいずれかの表示システムに用いられる表示装置である。
【００２５】
また、本発明の他の一態様にかかる表示装置は、表示面に表示を行う表示部と、前記表示面に対するユーザの所在位置を検出する位置検出部と、前記表示面に対する複数の測色位置それぞれから前記表示面を２次元で測色した複数の測色結果それぞれにおける位置の第１座標を前記表示面における位置の第２座標に一致するようにそれぞれ補正した補正後の複数の測色結果に、前記複数の測色位置それぞれを対応付けた測色情報を記憶する測色情報記憶部と、前記位置検出部で検出した所在位置と前記測色情報記憶部に記憶された前記測色情報とに基づいて、前記ユーザの前記所在位置から前記表示面を見た場合に予め設定された目標の見え方となるように、前記表示部の表示状態を調整する表示調整部とを備えることを特徴とする。
【００２６】
これによれば、上記表示システムに用いられる表示装置が提供できる。
【発明の効果】
【００２７】
本発明にかかる表示システム、表示装置測定方法、表示装置測定プログラムは、表示装置に対する様々な位置で、２次元測色計の光学系による影響を補正しながら前記表示装置を測色でき、この測色結果に基づき、表示面に対するユーザの所在する所在位置に応じて表示状態（表示出力）を調整できる。そして、本発明によれば、このような表示システムに用いられる表示装置が提供できる。
【図面の簡単な説明】
【００２８】
【図１】実施形態における表示システムの構成を示す図である。
【図２】実施形態の表示システムにおける表示装置の構成を示すブロック図である。
【図３】表示装置の表示面を２次元で測色する１個の２次元測色計での各測色位置を説明するための図である。
【図４】表示装置の表示面を２次元で測色する複数の２次元測色計での各測色位置を説明するための図である。
【図５】表示装置に測色情報として記憶される、図３に示す第１測色位置ＰＭ１で測色された第１測色結果の一例を示す図である。
【図６】表示装置に測色情報として記憶される、図３に示す第２測色位置ＰＭ２で測色された第２測色結果の一例を示す図である。
【図７】表示装置に測色情報として記憶される、図３に示す第３測色位置ＰＭ３で測色された第３測色結果の一例を示す図である。
【図８】表示装置に測色情報として記憶される、図３に示す第４測色位置ＰＭ４で測色された第４測色結果の一例を示す図である。
【図９】表示装置に測色情報として記憶される、図３に示す第５測色位置ＰＭ５で測色された第５測色結果の一例を示す図である。
【図１０】表示装置に記憶される補正用画像およびその各基準位置画像の座標値（第２座標位置）の一例を示す図である。
【図１１】実施形態の表示システムにおける２次元測色計の構成を示すブロック図である。
【図１２】測色位置に応じて歪む、２次元測色計で撮像される補正用画像を説明するための図である。
【図１３】実施形態における表示システムの補正に関する動作を示すフローチャートである。
【図１４】２次元測色計で撮像された補正用画像における各基準位置画像の座標値（第１座標位置）の一例を示す図である。
【図１５】２次元測色計での第１座標と表示装置での第２座標との対応関係の一例を示す図である。
【図１６】測色情報を取得する際に、実施形態の表示システムにおける表示装置の表示部に表示される画面の一例を説明するための図である。
【図１７】実施形態の表示システムにおける表示装置の表示状態の調整に関する動作を示すフローチャートである。
【図１８】表示装置に記憶される補正用画像の他の一例を示す図である。
【発明を実施するための形態】
【００２９】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００３０】
（主要な用語の説明）
本明細書で使用される主要な用語について、以下に、説明する。
【００３１】
（１）補正用画像：２次元測色計ＭＤにおける光学系の歪みによって、長方形の表示装置ＤＰを撮影しても、２次元測色計ＭＤで撮像された画像は、例えば図１２（Ｂ）や図１２（Ｃ）に示すように歪む。補正用画像ＣＰは、この歪みを補正するために使用される画像である。この補正用画像ＣＰの代表例は、図１２（Ａ）に示すクロスパターンである。
【００３２】
（２）基準位置画像：基準位置画像ＲＰは、基準位置を表す画像であり、前記補正用画像ＣＰに含まれる。基準位置画像ＲＰは、複数である。本実施形態では、基準位置画像ＲＰは、一例として、例えば図１０（Ａ）に示すクロスパターンの各交点であり、ｊ行ｉ列の基準位置画像ＲＰは、基準位置画像ＲＰ（ｉ、ｊ）で表される（例えば図１０（Ａ）には１６行１列の基準位置画像ＲＰ（１６、１）が示されている）。また他の一例として、基準位置画像ＲＰは、例えば図１８に示すドットターンの各点であり、ｊ行ｉ列の基準位置画像ＲＰは、基準位置画像ＲＰ（ｉ、ｊ）で表される（例えば図１８には１６行１列の基準位置画像ＲＰ（１６、１）が示されている）。
【００３３】
（３）色度輝度調整用画像：色度輝度調整用画像（測色情報取得用画像）は、表示装置ＤＰに表示される画像を、真の色度、輝度に校正（＝補正）するために表示装置ＤＰに表示される画像である。具体的には、白色、原色、中間色等の一様画像である。
【００３４】
（４）ＭＤｘＭＤｙＭＤｚ直交座標系：ＭＤｘＭＤｙＭＤｚ直交座標系は、表示装置ＤＰから見た他の物体（例えば２次元測色計ＭＤ）の位置を表すために設定された座標系であり、表示装置ＤＰにおける表示面の中央位置を通る前記表示面の法線をＭＤｚ軸とし、前記ＭＤｚ軸に直交しかつ互いに直交する水平方向および垂直方向それぞれに沿った水平線および垂直線それぞれをＭＤｘ軸およびＭＤｙ軸とする座標系である。このＭＤｘＭＤｙＭＤｚ直交座標系でのユーザの所在位置は、座標（Ｕｘ、Ｕｙ、Ｕｚ）で表される。前記ＭＤｘＭＤｙＭＤｚ直交座標系での２次元測色計ＭＤの位置（測色位置）ＰＭは、座標（ＭＤｘ、ＭＤｙ、ＭＤｚ）で表される。図３には、前記ＭＤｘＭＤｙＭＤｚ直交座標系の一例が示されている。
【００３５】
（５）ＤＰｘＤＰｙ直交座標系：ＤＰｘＤＰｙ直交座標系は、２次元測色計ＭＤによって測定される、表示装置ＤＰにおける前記表示面上の位置を表すために、前記表示面上に設定された座標系であり、前記表示面の中央位置を座標原点とし、互いに直交する水平線および垂直線それぞれをＤＰｘ軸およびＤＰｙ軸とする座標系である。なお、説明の簡単化のために、本実施形態では、ＭＤｘＭＤｙＭＤｚ直交座標系およびＤＰｘＤＰｙ直交座標系では、ＭＤｘ軸とＤＰｘ軸とは、互いに一致させ、ＭＤｙ軸とＤＰｙ軸とは、互いに一致させている（ＭＤｘ＝ＤＰｘ、ＭＤｙ＝ＤＰｙ）。図３には、前記ＤＰｘＤＰｙ直交座標系の一例が示されている。
【００３６】
（６）ｘｄｙｄ直交座標系：ｘｄｙｄ直交座標系は、補正用画像ＣＰ上の位置を表すために補正用画像ＣＰ上に設定された座標系であり、補正用画像ＣＰの紙面左上点を原点に、水平方向をｘｄ軸とし、垂直方向をｙｄ軸とした直交座標系である。ｘｄｙｄ直交座標系での基準位置画像の座標値（基準位置座標）は、座標（ｘｄ、ｙｄ）で表される。補正用画像ＣＰは、表示装置ＤＰに表示されるので、ＤＰｘＤＰｙ直交座標系とｘｄｙｄ直交座標系とは、各軸が互いに平行であって各座標原点のみがずれる（シフトする）ことになる。図１０（Ａ）や図１２（Ａ）には、前記ｘｄｙｄ直交座標系の一例が示されている。図１０（Ａ）や図１２（Ａ）では、補正用画像ＣＰは、クロスパターンの各交点ある。
【００３７】
（７）第１座標：第１座標は、２次元測色計ＭＤで求めた測色結果における位置である。第１座標は、座標（ｘｃ、ｙｃ）とされている。このため、基準位置画像ＲＰ（ｉ、ｊ）における第１座標は、座標（ｘｃ（ｉ）、ｙｃ（ｊ））で表される。前記第１座標は、一例では、図１２（Ｂ）や図１２（Ｃ）に示す２次元測色計ＭＤで補正用画像ＣＰを撮像した場合に得られるクロスパターンの各交点の座標である。
【００３８】
（８）第２座標：第２座標は、表示装置ＤＰの表示面における位置である。第２座標は、座標（ｘｄ、ｙｄ）とされている。このため、基準位置画像ＲＰ（ｉ、ｊ）における第２座標は、座標（ｘｄ（ｉ）、ｙｄ（ｊ））で表される。本実施形態では、基準位置画像ＲＰ（ｉ、ｊ）の第２座標（ｘｄ（ｉ）、ｙｄ（ｊ））が２次元測色計ＭＤに予め記憶され、同一の基準位置画像ＲＰ（ｉ、ｊ）をキーに、補正用画像ＣＰを測色することによって求められた測色結果における、基準位置画像ＲＰ（ｉ、ｊ）の第１座標（ｘｃ（ｉ）、ｙｃ（ｊ））と、予め記憶された基準位置画像ＲＰ（ｉ、ｊ）の第２座標（ｘｄ（ｉ）、ｙｄ（ｊ））と対比することで、補正が行われる。前記第２座標は、一例では、図１２（Ａ）に示すクロスパターンの各交点の座標である。
【００３９】
（９）撮像補正用画像ＤＣＰ：撮像補正用画像ＤＣＰは、撮像された補正用画像である。
【００４０】
（１０）基準位置画像ＤＲＰ（ｉ、ｊ）：基準位置画像ＤＲＰ（ｉ、ｊ）は、前記撮像補正用画像ＤＣＰでの基準位置画像である。
【００４１】
（構成）
図１は、実施形態における表示システムの構成を示す図である。図２は、実施形態の表示システムにおける表示装置の構成を示すブロック図である。図３は、表示装置の表示面を２次元で測色する１個の２次元測色計での各測色位置を説明するための図である。図４は、表示装置の表示面を２次元で測色する複数の２次元測色計での各測色位置を説明するための図である。図５〜図９は、表示装置に測色情報として記憶される、図３に示す第１から第５測色位置ＰＭ１〜ＰＭ５で測色された第１から第５測色結果の一例を示す図である。図１０は、表示装置に記憶される補正用画像およびその各基準位置画像の座標値（第２座標位置）の一例を示す図である。図１０（Ａ）は、補正用画像の一例を示し、図１０（Ｂ）は、その各基準位置画像の座標値（第２座標位置）を示す。図１１は、実施形態の表示システムにおける２次元測色計の構成を示すブロック図である。図１８は、表示装置に記憶される補正用画像の他の一例を示す図である。
【００４２】
実施形態における表示システムＤＳは、例えば、図１に示すように、表示を行う表示装置ＤＰと、測定対象を２次元で測色する２次元測色計ＭＤとを備える。この表示システムＤＳにおける２次元測色計ＭＤは、例えば白色、赤色（Ｒ）、緑色（Ｇ）、青色（Ｂ）および中間色等の所定の色度輝度調整用画像（測色情報取得用画像）を表示した表示装置ＤＰの表示面を様々な測色位置から２次元で測色する。この２次元の測色では、２次元測色計ＭＤで撮像される表示装置ＤＰの色度輝度調整用画像は、２次元測色計ＭＤの測色位置に応じて歪むので、本実施形態では、２次元測色計ＭＤは、２次元測色部ＭＤで測色した測色結果における位置の第１座標（ｘｃ、ｙｃ）を、表示装置ＤＰの第２座標（ｘｄ、ｙｄ）に一致するように、補正することで、その歪みを取り除く。そして、この表示システムＤＳにおける表示装置ＤＰは、２次元測色計ＭＤで測色して位置の座標を補正した補正後の測色結果をその測色位置と対応付けて予め記憶し、前記表示面に対するユーザの所在する位置（所在位置）を検出し、表示を行う際に、この検出したユーザの所在位置と前記補正後の測色結果とに基づいて、前記ユーザの所在位置から前記表示面を見た場合に予め設定された目標の見え方となるように、前記表示部の表示状態を調整する。
【００４３】
このような表示システムＤＳにおける表示装置ＤＰは、例えば、図２に示すように、ステレオカメラ１１と、表示部１２と、表示側制御処理部（ＤＰ制御処理部）１４と、表示側記憶部（ＤＰ記憶部）１５と、アンテナ１６と、表示側インターフェース部（ＤＰＩＦ部）１７とを備える。
【００４４】
ステレオカメラ１１は、ＤＰ制御処理部１４に接続され、ＤＰ制御処理部１４の制御に従って所定の撮像対象を撮像して一対の画像（画像データ）を生成する装置である。後述するように本実施形態では、ユーザの所在位置（Ｕｘ、Ｕｙ、Ｕｚ）は、ステレオカメラ１１で生成された一対の画像に基づいて検出されるので、前記所定の撮像対象は、表示部１２における表示面の前方の領域となる。ステレオカメラ１１は、例えば、各撮影方向が互いに略平行となるように所定の距離（基線長）だけ離間して配設された一対のカメラを備える。ステレオカメラ１１は、その生成した一対の画像をＤＰ制御処理部１４へ出力する。ステレオカメラ１１は、後述の位置処理部１４３と組むことで、表示部１２の表示面に対するユーザの所在位置を検出する位置検出部の一例を構成する。
【００４５】
表示部１２は、ＤＰ制御処理部１４に接続され、ＤＰ制御処理部１４の制御に従って表示面に所定の表示を行う装置である。表示部１２は、例えば、表示パネル、および、前記表示パネルの表示面に前記所定の表示として例えば静止画や動画等のコンテンツを表示するように、前記表示パネルをＤＰ制御処理部の制御に従って駆動する駆動回路等を備えて構成される。前記表示パネルは、例えば、液晶表示パネルや有機ＥＬパネルやプラズマパネル等である。
【００４６】
アンテナ１６は、ＤＰ制御処理部１４に接続され、電波を受信して受信信号を生成し、この生成した受信信号をＤＰ制御処理部１４へ出力するものである。
【００４７】
ＤＰＩＦ部１７は、ＤＰ制御処理部１４に接続され、ＤＰ制御処理部１４の制御に従って外部機器との間でデータの入出力を行う回路であり、例えば、ＲＳ−４８５規格を用いたインターフェース回路、ＵＳＢ（Ｕｎｉｖｅｒｓａｌ  Ｓｅｒｉａｌ  Ｂｕｓ）規格を用いたインターフェース回路、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、登録商標）規格を用いたインターフェース回路およびＩＥＥＥ１３９４規格を用いたインターフェース回路等である。
【００４８】
ＤＰ記憶部１５は、ＤＰ制御処理部１４に接続され、ＤＰ制御処理部１４の制御に従って各種の所定のプログラムおよび各種の所定のデータを記憶する回路である。前記各種の所定のプログラムには、例えば、表示装置ＤＰの各部を当該各部の機能に応じてそれぞれ制御するＤＰ制御プログラムや、アンテナ１６で得られた受信信号を映像信号に変換し、この映像信号の映像を表示部１２の表示面に表示するように、表示部１２を制御する映像信号生成プログラムや、ステレオカメラ１１で生成した一対の画像に基づいてユーザの所在位置（Ｕｘ、Ｕｙ、Ｕｚ）を求める位置処理プログラムや、前記映像信号生成プログラムによって表示部１２の表示面に前記映像を表示する際に、前記位置処理プログラムで求めたユーザの所在位置（Ｕｘ、Ｕｙ、Ｕｚ）と後述の測色情報とに基づいて、前記ユーザの所在位置（Ｕｘ、Ｕｙ、Ｕｚ）から前記表示面を見た場合に予め設定された目標の見え方となるように、表示部１２の表示状態を調整する表示調整プログラムや、２次元測色計ＭＤからＤＰＩＦ部１７を介して、後述のように位置の座標を補正した補正後の測色結果を取得しこの取得した前記補正後の測色結果を前記測色情報としてＤＰ記憶部１５に記憶する測色情報記憶処理プログラムや、前記測色結果を得るために表示部１２の表示面に所定の色を表示する際に、ステレオカメラ１１で生成した一対の画像に基づいて求めた２次元測色計ＭＤの位置ＰＭ（ＭＤｘ、ＭＤｙ、ＭＤｚ）を表示する位置表示処理プログラム等の制御処理プログラムが含まれる。前記各種の所定のデータには、前記測色情報や、基準位置を表す複数の基準位置画像を含む補正用画像等の各プログラムを実行する上で必要なデータ等が含まれる。ＤＰ記憶部１５は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＤＰ記憶部１５は、前記所定のプログラムの実行中に生じるデータ等を記憶するいわゆるＤＰ制御処理部１４のワーキングメモリとなるＲＡＭ（Ｒａｎｄｏｍ  Ａｃｃｅｓｓ  Ｍｅｍｏｒｙ）等を含む。そして、ＤＰ記憶部１５は、前記測色情報および前記補正用画像それぞれを記憶するために、測色情報記憶部１５１および補正用画像情報記憶部１５２を機能的に備える。
【００４９】
測色情報記憶部１５１は、前記測色情報を記憶するものである。前記測色情報は、例えば製造段階や出荷段階等の、ユーザが表示装置ＤＰを使用する前に、生産者等によって予め測色情報記憶部１５１に記憶される。前記測色情報は、表示部１２の前記表示面に対する複数の測色位置（ＭＤｘ、ＭＤｙ、ＭＤｚ）それぞれから前記表示面を２次元で測色した複数の測色結果に前記複数の測色位置（ＭＤｘ、ＭＤｙ、ＭＤｚ）それぞれを対応付けた情報である。測色結果は、２次元で測色するので、位置の座標値および測色値を持つ（例えば、表示面上の水平方向の座標値ＤＰｘ、表示面の垂直方向の座標値ＤＰｙ、輝度値Ｙ、色度値ｘ、ｙ等）。この測色情報記憶部１５１に測色情報として記憶される前記複数の測色結果における位置の座標は、後述のように補正された補正後の値である。前記測色情報を得る測定（測色）では、表示部１２の表示状態を調整する上で好適な予め設定された所定の画像（色度輝度調整用画像（測色情報取得用画像））が表示部１２に表示され、前記測色位置（ＭＤｘ、ＭＤｙ、ＭＤｚ）に２次元測色計ＭＤが配置され、表示部１２の表示面が２次元で測色される。そして、このような測色が前記複数の測色位置（ＭＤｘ、ＭＤｙ、ＭＤｚ）それぞれで実行される。前記測定は、例えば、図３に示すように、前記複数の測色位置（ＭＤｘ、ＭＤｙ、ＭＤｚ）に１個の２次元測色計ＭＤが順次に配置されることで実行されて良く、また例えば、前記測定は、図４に示すように、前記複数の測色位置（ＭＤｘ、ＭＤｙ、ＭＤｚ）それぞれに複数の２次元測色計ＭＤが同時に配置されることで実行されて良い。
【００５０】
より具体的には、図３および図４それぞれに示すように、表示部１２における前記表示面の中央位置（例えば前記表示面が矩形である場合に対角線の交点位置等）を通る前記表示面の法線をＭＤｚ軸とし、前記ＭＤｚ軸に直交しかつ互いに直交する水平方向および垂直方向それぞれに沿った水平線および垂直線それぞれをＭＤｘ軸およびＭＤｙ軸とするＭＤｘＭＤｙＭＤｚ直交座標系を設定した場合に、前記測色情報は、５個の第１から第５測色位置ＰＭ１〜ＰＭ５に１個の２次元測色計ＭＤが順次に配置され、あるいは、５個の第１から第５測色位置ＰＭ１〜ＰＭ５それぞれに５個の２次元測色計ＭＤ−１〜ＭＤ−５が同時に、配置され、表示部１２の表示面が２次元で測色されることで、生成される。前記測定の際に、前記色度輝度調整用画像として、前記表示面の全面に白色、原色および中間色それぞれが表示される。したがって、本実施形態では、前記測色情報は、前記複数の表示部１２の測色位置（ＭＤｘ、ＭＤｙ、ＭＤｚ）それぞれにおいて、前記表示面の全面に白色、原色および中間色それぞれを表示させて測色された測色結果を含む。前記原色は、赤色、青色および緑色を含む（すなわち、前記測色情報は、前記複数の測色位置（ＭＤｘ、ＭＤｙ、ＭＤｚ）それぞれにおいて、前記表示面の全面に赤色、青色および緑色それぞれを表示させて測色された測色結果を含む）。図３および図４それぞれに示す例では、ミリメートル単位（ｍｍ）で、第１測色位置ＰＭ１は、座標（０、０、１０００）であり、第２測色位置ＰＭ２は、座標（−７００、０、１０００）であり、第３測色位置ＰＭ３は、座標（７００、０、１５００）であり、第４測色位置ＰＭ４は、座標（−３５０、−５００、２０００）であり、そして、第５測色位置ＰＭ５は、座標（３５０、５００、２０００）である。このように前記測色情報は、前記表示面から互いに異なる距離であって水平方向および垂直方向の互いに異なる複数の測色位置それぞれで得られた複数の測色結果を含む。このような第１から第５測色位置ＰＭ１〜ＰＭ５それぞれにおいて、所定の温度（例えば室温２５℃等）の場合に、２次元測色計ＭＤによって表示部１２の前記表示面を２次元で測色した第１から第５測色結果の一例が図５〜図９それぞれに示されている。図５〜図９では、表示部１２の表示面上に、表示部１２における前記表示面の中央位置（例えば前記表示面が矩形である場合に対角線の交点位置等）を座標原点とし、互いに直交する水平線および垂直線それぞれをＤＰｘ軸およびＤＰｙ軸とするＤＰｘＤＰｙ直交座標系を設定した場合に、各測色結果は、横方向を各ＤＰｘ値とし、縦方向を各ＤＰｙ値とする２次元マトリクス状のテーブルに登録されている。なお、各ＤＰｘ値は、複数の画素数から成る第１間隔（水平）ごとに割り当てられ、各ＤＰｙ値は、複数の画素数から成る第２間隔（垂直）ごとに割り当てられている。例えば、表示部１２の表示解像度が１９２０×１０８０である場合、前記第１間隔は、６２画素であり、各ＤＰｘは、６２画素ごとに割り当てられ、前記第２間隔は、７２画素であり、各ＤＰｙは、７２画素ごとに割り当てられる。したがって、図５〜図９に示す例では、原則６２×７２を単位領域として表示部１２の表示面に��ける２次元分布が測色されている（周辺は、６１×７２）。したがって、前記測色結果は、表示部１２の前記表示面を複数に分けた複数の単位領域それぞれに対する複数の測定値を含む。そして、前記テーブルの各欄には、上段に輝度値Ｙが登録され、中段に、ｘｙ色度図における色度ｘが登録され、そして、下段に、前記ｘｙ色度図における色度ｙが登録されている。白色表示（赤Ｒ＝２５５／緑Ｇ＝２５５／青Ｂ＝２５５）した状態で、例えば、図５において、前記表示面上の位置（−７、−１５）での測色結果は、輝度Ｙが４０ｃｄ／ｍ２であり、色度ｘが０．３３０であり、色度ｙが０．３４５であり、前記表示面上の位置（０、０）での測色結果は、輝度Ｙが１００ｃｄ／ｍ２であり、色度ｘが０．３１２７であり、色度ｙが０．３２９０であり、前記表示面上の位置（−７、１５）での測色結果は、輝度Ｙが４４ｃｄ／ｍ２であり、色度ｘが０．３２９であり、色度ｙが０．３４５であり、そして、前記表示面上の位置（７、−１５）での測色結果は、輝度Ｙが３９ｃｄ／ｍ２であり、色度ｘが０．３３３であり、色度ｙが０．３４８である。これら輝度Ｙは、前記表示面の全面に白色を表示させて測色された測色結果に基づいて得られ、色度ｘ、ｙは、前記表示面の全面に赤色（Ｒ＝２５５／Ｇ＝０／Ｂ＝０）、緑色（Ｒ＝０／Ｇ＝２５５／Ｂ＝０）および青色（Ｒ＝０／Ｇ＝０／Ｂ＝２５５）それぞれを表示させて測色された各測色結果に基づいて得られる。また、白色でも、諧調を変更した中間色表示、例えば、（Ｒ＝１２８／Ｇ＝１２８／Ｂ＝１２８）、（Ｒ＝６４／Ｇ＝６４／Ｂ＝６４、（Ｒ＝３２／Ｇ＝３２／Ｂ＝３２）等を表示させて、図５〜図９に相当する測定結果が得られる。さらに、シアン（Ｒ＝０／Ｇ＝２５５／Ｂ＝２５５）、マゼンタ（Ｒ＝２５５／Ｇ＝０／Ｂ＝２５５）、イエロー（Ｒ＝２５５／Ｇ＝２５５／Ｂ＝０）等補色を表示させて、図５〜図９に相当する測定結果が得られる。さらに、任意の各種中間色、例えばダークオレンジ（Ｒ＝２５５／Ｇ＝１４０／Ｂ＝０）、ライトピンク（Ｒ＝２５５／Ｇ＝１８２／Ｂ＝１９３）等の中間色を表示して、図５〜図９に相当する測定結果が得られる。そして、これを元に、単色の場合と同様に、測色情報に反映させる。なお、上述のように設定されたＭＤｘＭＤｙＭＤｚ直交座標系およびＤＰｘＤＰｙ直交座標系では、ＭＤｘ軸とＤＰｘ軸とは、互いに一致させ、ＭＤｙ軸とＤＰｙ軸とは、互いに一致させている（ＭＤｘ＝ＤＰｘ、ＭＤｙ＝ＤＰｙ）。
【００５１】
そして、測色情報記憶部１５１には、このような各測色結果を登録した各テーブルがその測色位置（ＭＤｘ、ＭＤｙ、ＭＤｚ）に対応付けられて記憶される。
【００５２】
なお、上述では、測色位置は、５個箇所であるが、これに限定されるものではなく、例えば表示部１２の視野角や表示装置ＤＰの仕様等に応じて適宜な個数に設定される。また、上述では、表示部１２の測色における領域数は、表示部１２の表示面を、横方向に３１分割するとともに縦方向に１５分割（３１×１５分割）した４６５個であるが、前記領域数は、これに限定されるものではなく、例えば表示部１２の視野角や表示装置ＤＰの仕様等に応じて適宜な個数に設定される。
【００５３】
補正用画像情報記憶部１５２は、基準位置を表す複数の基準位置画像を含む補正用画像を記憶するものである。好ましくは、基準位置画像を検出し易くするために、補正用画像の表示色は、単色または白色である。より高いＳＮ比を得るために、補正用画像の表示色は、２次元測色計ＭＤのＳ／Ｎ感度が高い緑色である。好ましくは、基準位置画像を検出し易くするために、補正用画像は、背景が前記複数の基準位置画像の表示色と異なる白色または単色である。本実施形態では、補正用画像ＣＰは、例えば、図１０（Ａ）に示すように、背景を黒色とし、所定の第１方向（ＤＰｘ方向）に沿って互いに所定の第３間隔を空けて平行に並置され、前記第１方向に直交する第２方向（ＤＰｙ方向）に沿って延びる複数の白色の第１線状画像と、前記第２方向（ＤＰｙ方向）に沿って互いに所定の第４間隔を空けて平行に並置され、前記第１方向（ＤＰｘ方向）に沿って延びる複数の白色の第２線状画像とを備え、前記複数の基準位置画像ＲＰ（ｉ，ｊ）は、これら複数の第１線状画像と複数の第２線状画像との各交点である。すなわち、補正用画像ＣＰは、いわゆるクロスハッチ（クロスパターン）であり、前記複数の基準位置画像ＲＰ（ｉ，ｊ）は、クロスハッチ（クロスパターン）の各交点である。図１０（Ａ）に示す例では、これら複数の第１線状画像は、紙面左から６０番目の画素位置から１２０画素ごとに配置された１６本から成り、複数の第２線状画像は、紙面上から６０番目の画素位置から１２０画素ごとに配置された９本から成る。これら１４４（＝１６×９）個の各基準位置画像の座標値が図１０（Ｂ）に示されている。この図１０（Ｂ）に示す各基準位置画像の座標値は、第２座標（ｘｄ、ｙｄ）の一例であり、後述するように、２次元測色計ＭＤに記憶される。補正用画像ＣＰは、表示部１２の表示面に全画面表示で表示される。ここで、補正用画像ＣＰの紙面左上点を原点に、ｉは、紙面左から右へ順に数えた基準位置画像ＲＰ（第１線状画像）の列番号であり、ｊは、紙面上から下へ順に数えた基準位置画像ＲＰ（第２線状画像）の行番号である。第２座標（ｘｄ、ｙｄ）は、補正用画像ＣＰの紙面左上点を原点に、水平方向をｘｄ軸とし、垂直方向をｙｄ軸とした直交座標系である。図１０（Ａ）には、補正用画像ＣＰにおける紙面上側にｉが示され、その紙面左側にｊが示され、その紙面下側に、紙面左から右へ順に数えた画素の番号（画素のｘｄ座標値）が示され、その紙面右側に、紙面上から下へ順に数えた画素の番号（画素のｙｄ座標値）が示されている。
【００５４】
なお、補正用画像ＣＰは、上述のクロスハッチ（クロスパターン）に限定されるものではなく、複数の基準位置画像ＲＰを含む適宜な画像であって良い。例えば、補正用画像ＣＰは、例えば図１８に示すように、２次元マトリクス状に複数の点を配置したドットパターンであって良く、この場合、各点が前記複数の基準位置画像ＲＰとなる。
【００５５】
図２に戻って、ＤＰ制御処理部１４は、表示装置ＤＰの各部を当該各部の機能に応じてそれぞれ制御し、表示部１２の表示面に所定の表示を行う際に、前記ユーザの所在位置（Ｕｘ、Ｕｙ、Ｕｚ）から前記表示面を見た場合に、予め設定された目標の見え方となるように、前記表示部１２の表示状態を調整する回路である。ＤＰ制御処理部１４は、例えば、ＣＰＵ（Ｃｅｎｔｒａｌ  Ｐｒｏｃｅｓｓｉｎｇ  Ｕｎｉｔ）（またはＦＰＧＡ（ｆｉｅｌｄ  ｐｒｏｇｒａｍｍａｂｌｅ  ｇａｔｅ  ａｒａｙ））およびその周辺回路を備えて構成される。ＤＰ制御処理部１４は、前記制御処理プログラムが実行されることによって、表示側制御部（ＤＰ制御部）１４１、映像信号生成部１４２、位置処理部１４３、表示調整部１４４、測色情報記憶処理部１４５および位置表示処理部１４６を機能的に備える。
【００５６】
ＤＰ制御部１４１は、表示装置ＤＰの各部を当該各部の機能に応じてそれぞれ制御し、表示装置ＤＰの全体制御を司るものである。
【００５７】
映像信号生成部１４２は、アンテナ１６で得られた受信信号を映像信号に変換し、この映像信号の映像を表示部１２の表示面に表示するように、表示部１２を制御するものである。なお、映像信号生成部１４２は、ネットワークを介してダウンロードしたコンテンツや、記録媒体から読み込んだコンテンツや、ＤＰ記憶部１５に記憶されたコンテンツ等を表示部１２の表示面に表示するように、表示部１２を制御しても良い。
【００５８】
位置処理部１４３は、ステレオカメラ１１で生成した一対の画像に基づいて前記ユーザの所在位置を求めるものである。より具体的には、位置処理部１４３は、ステレオカメラ１１の一方で得られた画像から、例えば予め用意された人物モデルのパターンマッチングによって、あるいは、人物検出用に学習したニューラルネットワークによって、人物領域（ユーザを写した画像領域）を検出し、この検出した人物領域内における所定点の方向（Ｕｘ、Ｕｙ）を求め、ステレオカメラ１１で得られた一対の画像から前記人物領域内の前記所定点に対する視差を求め、この求めた視差から三角測量の原理によって前記人物領域までの距離（Ｕｚ）を求め、これによってユーザの所在位置（Ｕｘ、Ｕｙ、Ｕｚ）を検出する。前記所定点は、前記人物領域内であれば任意の位置の点であって良く、例えば、前記人物領域の重心位置であって良く、また例えば、前記人物領域における頭部部分の重心位置であって良く、また例えば、前記人物領域に外接する矩形における各対角線の交点であって良い。
【００５９】
表示調整部１４４は、位置処理部１４３で求めたユーザの所在位置（Ｕｘ、Ｕｙ、Ｕｚ）と測色情報記憶部１５１に記憶された測色情報とに基づいて、前記ユーザの所在位置（Ｕｘ、Ｕｙ、Ｕｚ）から表示部１２の前記表示面を見た場合に予め設定された目標の見え方となるように、表示部１２の表示状態（表示出力）を調整する。前記表示状態（表示出力）は、輝度および色度のうちの少なくとも一方である。本実施形態では、前記測色情報は、輝度Ｙおよび色度ｘ、ｙを含むので、前記表示状態（表示出力）は、輝度および色度の両方であるが（すなわち、輝度Ｙおよび色度ｘ、ｙの両方が調整される）、前記測色情報が輝度Ｙのみである場合には、前記表示状態（表示出力）は、輝度Ｙのみであって良く（すなわち、輝度Ｙのみが調整される）、また、前記測色情報が色度ｘ、ｙのみである場合には、前記表示状態（表示出力）は、色度ｘ、ｙのみであって良い（すなわち、色度ｘ、ｙのみが調整される）。
【００６０】
前記目標の見え方は、予め定義された所定の見え方であって良く、好ましくは、前記目標の見え方は、表示部１２における表示面の中央位置を通る前記表示面の法線上から前記表示面の前記中央位置を見た場合における見え方（正常な見え方）であって良い。本実施形態では、前記目標の見え方は、表示部１２の表示面における、ユーザの所在位置（Ｕｘ、Ｕｙ、Ｕｚ）を通る前記表示面の法線を含む所定広さの領域（例えばユーザが法線方向に対してＦＯＶ（Ｆｉｅｌｄ  ｏｆ  Ｖｉｅｗ）５°以内で見る領域等）を前記法線上から見た場合における見え方（ユーザの所在位置での見え方）である。
【００６１】
より具体的には、表示調整部１４４は、測色情報記憶部１５１に記憶された測色情報から位置処理部１４３で求めたユーザの所在位置（Ｕｘ、Ｕｙ、Ｕｚ）に応じた、位置の座標を補正した補正後の測色結果を取り出し、この取り出した測色結果と前記目標の見え方との差を補償するように表示部１２における各画素の出力を調整することで、表示部１２の表示状態を調整する。例えば、所在位置（Ｕｘ、Ｕｙ、Ｕｚ）のＵｘＵｙＵｚ直交座標系およびＭＤｘＭＤｙＭＤｚ直交座標系が互いに一致する場合に、表示調整部１４４は、測色情報記憶部１５１に記憶された測色情報から、位置処理部１４３で求めたユーザの所在位置（Ｕｘ、Ｕｙ、Ｕｚ）を測定位置（ＭＤｘ、ＭＤｙ、ＭＤｚ）とする測色結果（ＭＤｘ＝Ｕｘ、ＭＤｙ＝Ｕｙ、ＭＤｚ＝Ｕｚの測色結果）を取り出す。図５〜図９に示す例では、輝度Ｙおよび色度ｘ、ｙの各値は、表示部１２における表示面上の位置に応じた値であるので、前記取り出した測色結果と前記目標の見え方との差（調整値）は、表示部１２における表示面上の位置に応じた値となり、表示調整部１４４は、表示部１２における前記表示面上の位置に応じた調整値で、表示部１２の表示状態を調整する。より具体的には、表示調整部１４４は、表示部１２における各画素ごとに、前記取り出した測色結果と前記目標の見え方との差を補償するように前記表示面上の位置に応じた調整値をそれぞれ生成し、この生成した各調整値で表示部１２における各画素の出力を調整することで、表示部１２の表示状態を調整する。例えば、図５に示す例において、ユーザが座標（０、０、１０００）に所在する場合には、座標（０、０）の測定結果（輝度Ｙ＝１００ｃｄ／ｍ２、色度ｘ＝０．３１２７、色度ｙ＝０．３２９０）が前記目標の見え方となり、表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、表示部１２の表示状態が調整される。例えば、座標（−７、−１５）の領域では、その測定結果（輝度Ｙ＝４０ｃｄ／ｍ２、色度ｘ＝０．３３０、色度ｙ＝０．３４５）と目標の見え方（輝度Ｙ＝１００ｃｄ／ｍ２、色度ｘ＝０．３１２７、色度ｙ＝０．３２９０）との差が求められ、この差を調整値として、表示部１２の表示状態が調整される（例えば、輝度Ｙは、その差６０ｃｄ／ｍ２を補償するようにアップされる。すなわち、輝度Ｙは、２．５倍される）。
【００６２】
なお、表示調整部１４４は、測色情報記憶部１５１に記憶された測色情報に、位置処理部１４３で求めたユーザの所在位置（Ｕｘ、Ｕｙ、Ｕｚ）に当たる測色結果が無い場合に、測色情報記憶部１５１に記憶された測色情報から前記ユーザの所在位置（Ｕｘ、Ｕｙ、Ｕｚ）に近い順に選択した複数（例えば４個や１２個等）の測色位置に対応する複数の測色結果に基づいて、補間（例えば線形補間やスプライン補間やラグランジュ補間等）によって、前記ユーザの所在位置（Ｕｘ、Ｕｙ、Ｕｚ）に応じた前記測色結果を生成して良い。前記補間のための測色位置の選択数は、２次元であるので、上下左右の最低４個であり、さらにその外側を用いる場合には１２個となる。好ましくは、さらにその外側も用いる場合には、前記選択数は、１００個程度となる。
【００６３】
測色情報記憶処理部１４５は、２次元測色計ＭＤからＤＰＩＦ部１７で取得した前記補正後の測色結果を前記測色情報として測色情報記憶部１５１に記憶するものである。なお、２次元測色計ＭＤで測定した前記補正後の測色結果は、例えば、図略のキーボードから表示装置ＤＰに入力され、測色情報記憶部１５１に記憶されて良く、また例えば、ＵＳＢメモリ等の記録媒体に保存され、この記録媒体からＤＰＩＦ部１７を介して表示装置ＤＰに入力され、測色情報記憶部１５１に記憶されて良く、また例えば、ＰＲＯＭ（Ｐｒｏｇｒａｍｍａｂｌｅ  ＲＯＭ）やＥＰＲＯＭ（Ｅｒａｓａｂｌｅ  Ｐｒｏｇｒａｍｍａｂｌｅ  ＲＯＭ）にデータを書き込むためのＲＯＭライタ等を用いて測色情報記憶部１５１に記憶されて良い。
【００６４】
位置表示処理部１４６は、ステレオカメラ１１で生成した一対の画像に基づいて２次元測色計ＭＤの位置を前記測色位置として測定し、前記測色結果を得るために前記表示面に所定の色を表示する際に、この測定した２次元測色計ＭＤの位置を表示するものである。より具体的には、位置表示処理部１４６は、ステレオカメラ１１で生成した一対の画像のうちの一方から例えばエッジ検出等によって２次元測色計ＭＤを検出し、この検出した２次元測色計ＭＤの方向（ＭＤｘ、ＭＤｙ）を求め、ステレオカメラ１１で得られた一対の画像から前記２次元測色計ＭＤに関する視差を求め、この求めた視差から三角測量の原理によって前記２次元測色計ＭＤまでの距離（ＭＤｚ）を求め、これによって２次元測色計ＭＤの位置ＰＭ（ＭＤｘ、ＭＤｙ、ＭＤｚ）を検出する。そして、位置表示処理部１４６は、前記測色結果を得るために前記表示面に所定の色を表示する際に、この測定した２次元測色計ＭＤの位置ＰＭ（ＭＤｘ、ＭＤｙ、ＭＤｚ）を表示する。
【００６５】
次に、２次元測色計ＭＤの構成について説明する。前記表示システムＤＳにおける２次元測色計ＭＤは、測定対象を２次元で測色する装置であり、ユーザの所在位置（Ｕｘ、Ｕｙ、Ｕｚ）での表示部１２の見え方を解析するための装置である。このような２次元測色計ＭＤは、例えば、図１１に示すように、２次元測定部２１と、測色側制御処理部（ＭＤ制御処理部）２２と、測色側インターフェース部（ＭＤＩＦ部）２３と、測色側記憶部（ＭＤ記憶部）２４とを備える。
【００６６】
２次元測定部２１は、ＭＤ制御処理部２２に接続され、ＭＤ制御処理部２２の制御に従って測定対象の各色成分を２次元で測定する装置である。２次元測色計ＭＤが２次元色彩計である場合には、例えば、２次元測定部２１は、表示部１２におけるＲＧＢの各成分を２次元で測定するための光学フィルタおよびエリアイメージセンサ等を備え、表示部１２の表示面における色に応じたＲＧＢの各成分の各画像をＭＤ制御処理部２２へ出力する。
【００６７】
ＭＤＩＦ部２３は、測定結果を外部の機器へ出力するために、ＭＤ制御処理部２２に接続され、ＭＤ制御処理部２２の制御に従って外部機器との間でデータの入出力を行う回路であり、例えば、ＲＳ−４８５規格を用いたインターフェース回路、および、ＵＳＢ規格を用いたインターフェース回路等である。
【００６８】
ＭＤ記憶部２４は、ＭＤ制御処理部２２に接続され、ＭＤ制御処理部２２の制御に従って各種の所定のプログラムおよび各種の所定のデータを記憶する回路である。前記各種の所定のプログラムには、例えば、２次元測色計ＭＤの各部を当該各部の機能に応じてそれぞれ制御し、２次元測定部２１で得られた各色成分の各画像に基づいて２次元色分布の三刺激値ＸＹＺ（測色結果）を求めるＭＤ制御プログラムや、前記ＭＤ制御プログラムで求めた測色結果における位置の第１座標（ｘｃ、ｙｃ）を、表示装置ＤＰの表示面における位置の第２座標（ｘｄ、ｙｄ）に一致するように、補正する座標位置補正プログラムや、表示部１２の表示面に表示された２次元測色計ＭＤの位置を前記測色位置として取得し、この取得した２次元測色計ＭＤの位置を対応付けて前記測定結果をＭＤＩＦ部２３から出力する測色位置取得出力プログラム等の制御処理プログラムが含まれる。前記各種の所定のデータには、前記複数の基準位置画像ＲＰにおける各第２座標（ｘｄ、ｙｄ）や、前記第１座標（ｘｃ、ｙｃ）の補正に使う補正情報等の各プログラムを実行する上で必要なデータ等が含まれる。ＭＤ記憶部２４は、例えばＲＯＭ、ＥＥＰＲＯＭおよびＲＡＭ等を含む。そして、ＭＤ記憶部２４は、前記複数の基準位置画像ＲＰにおける各第２座標（ｘｄ、ｙｄ）および前記補正情報それぞれを記憶するために、第２座標位置情報記憶部２４１および補正情報記憶部２４２を機能的に備える。
【００６９】
第２座標位置情報記憶部２４１は、前記複数の基準位置画像ＲＰにおける各第２座標（ｘｄ、ｙｄ）を記憶するものである。より具体的には、第２座標位置情報記憶部２４１は、例えば図１０（Ｂ）に示す前記複数の基準位置画像ＲＰ（ｉ，ｊ）における各第２座標（ｘｄ（ｉ）、ｙｄ（ｊ））が記憶される。補正情報記憶部２４２は、前記補正情報を記憶するものである。この補正情報については後述する。
【００７０】
ＭＤ制御処理部２２は、２次元測色計ＭＤの各部を当該各部の機能に応じてそれぞれ制御し、測定対象を２次元で測色する回路である。ＭＤ制御処理部２２は、例えば、ＣＰＵおよびその周辺回路を備えて構成される。ＭＤ制御処理部２２は、前記制御処理プログラムが実行されることによって、測色側制御部（ＭＤ制御部）２２１、位置座標補正部２２２および測色位置取得出力処理部２２３を機能的に備える。
【００７１】
ＭＤ制御部２２１は、２次元測色計ＭＤの各部を当該各部の機能に応じてそれぞれ制御し、２次元測定部２１で得られた各色成分の各画像に基づいて２次元色分布の三刺激値ＸＹＺ（測色結果）を求めるものである。２次元測定部２１およびＭＤ制御部２２１から、測定対象を２次元で測色する２次元測色部の一例が構成される。
【００７２】
位置座標補正部２２２は、ＭＤ制御部２２１で求めた測色結果における位置の第１座標（ｘｃ、ｙｃ）を、表示装置ＤＰの表示面における位置の第２座標（ｘｄ、ｙｄ）に一致するように、補正するものである。より具体的には、位置座標補正部２２２は、表示部１２の表示面に表示された補正用画像ＣＰにおける複数の基準位置画像ＲＰに基づいて、２次元測定部２１およびＭＤ制御部２２１で測色した測色結果における位置の第１座標（ｘｃ、ｙｃ）を、表示装置ＤＰの表示面における位置の第２座標（ｘｄ、ｙｄ）に一致するように、補正する。より詳しくは、位置座標補正部２２２は、表示部１２の表示面に表示された補正用画像ＣＰを２次元測定部２１によって撮像することによって得られた画像（例えば、各色成分のうちの何れかの画像、各色成分の各画像に公知の画像処理を施すことによって得られたカラー画像等）から、複数の基準位置画像ＲＰ（ｉ、ｊ）を抽出し、これら抽出した複数の基準位置画像ＲＰ（ｉ、ｊ）における第１座標の各座標値（ｘｃ（ｉ）、ｙｃ（ｊ））を求め、同一の基準位置画像ＲＰにおいて、この求めた第１座標の座標値（ｘｃ（ｉ）、ｙｃ（ｊ））と第２座標位置情報記憶部２４１に記憶された第２座標の座標値（ｘｄ（ｉ）、ｙｄ（ｊ））とを対比することで、第１座標（ｘｃ（ｉ）、ｙｃ（ｊ））を、第２座標（ｘｄ（ｉ）、ｙｄ（ｊ））に一致するように、補正する（ｘｃ（ｉ）←ｘｄ（ｉ）、ｙｃ（ｉ）←ｙｄ（ｉ））。
【００７３】
測色位置取得出力処理部２２３は、表示部１２の表示面に表示された２次元測色計ＭＤの位置を前記測色位置として取得し、この取得した２次元測色計ＭＤの位置を対応付けて前記測色結果をＭＤＩＦ部２３から出力するものである。より具体的には、測色位置取得出力処理部２２３は、２次元測定部２１によって取得した表示部１２の画像から、公知の文字認識技術によって、表示部１２の表示面に表示された２次元測色計ＭＤの位置を前記測色位置として取得し、この取得した２次元測色計ＭＤの位置を対応付けて前記測色結果をＭＤＩＦ部２３から出力する。２次元測定部２１は、通常、上述のようにエリアイメージセンサを備えるので、単色であるが、表示部１２の画像を取得できる。
【００７４】
次に、本実施形態の動作について説明する。図１２は、測色位置に応じて歪む、２次元測色計で撮像される補正用画像を説明するための図である。図１２（Ａ）は、表示装置ＤＰに表示される補正用画像の一例を示し、図１２（Ｂ）は、表示装置ＤＰから見て表示装置ＤＰの表示面中央位置より左側に寄った測色位置で、図１２（Ａ）に示す補正用画像を２次元測色計ＭＤが見込んだ場合に２次元測色計ＭＤが撮像した補正用画像を示し、図１２（Ｃ）は、表示装置ＤＰから見て表示装置ＤＰの表示面中央位置より下側に寄った測色位置で、図１２（Ａ）に示す補正用画像を２次元測色計ＭＤが見込んだ場合に２次元測色計ＭＤが撮像した補正用画像を示す。図１３は、実施形態における表示システムの補正に関する動作を示すフローチャートである。図１４は、２次元測色計で撮像された補正用画像における各基準位置画像の座標値（第１座標位置）の一例を示す図である。図１５は、２次元測色計での第１座標と表示装置での第２座標との対応関係の一例を示す図である。図１５（Ａ）は、２次元測色計ＭＤでの第１座標の座標値ｘｃ（ｉ）と表示装置ＤＰでの第２座標の座標値ｘｄ（ｉ）との対応関係を示すｘ座標値対応テーブルを示し、図１５（Ｂ）は、２次元測色計ＭＤでの第１座標の座標値ｙｃ（ｉ）と表示装置ＤＰでの第２座標の座標値ｙｄ（ｉ）との対応関係を示すｙ座標値対応テーブルを示す。図１６は、測色情報を取得する際に、実施形態の表示システムにおける表示装置の表示部に表示される画面の一例を説明するための図である。図１７は、実施形態の表示システムにおける表示装置の表示状態の調整に関する動作を示すフローチャートである。
【００７５】
（補正情報の生成および２次元測色処理）
まず、前記第１座標位置の補正に使う補正情報の生成と、２次元測色計ＭＤによる表示装置ＤＰの測色について説明する。
【００７６】
本実施形態における表示システムＤＳは、上述したように、製造段階や出荷段階等において、例えば、図３および図４に示すように、複数の測色位置ＰＭｎで２次元測色計ＭＤによって表示装置ＤＰが２次元で測色され、その測色結果がその測色位置ＰＭｎと対応付けられて測色情報として表示装置ＤＰに記憶される。この測色では、２次元で測色するため、２次元測色装置ＭＤが表示装置ＤＰに正対する場合（すなわち、表示装置ＤＰにおける表示部１２の表示面の中央位置を通る前記表示面の法線方向と２次元測色装置ＭＤの測色方向（光軸）とが互いに一致している場合）には、表示装置ＤＰの前記表示面は、２次元測色計ＭＤの光学系に歪みがなければ歪むことなくそのままの形状で２次元測色計ＭＤに撮像されるので、この歪みに関する補正は、必要ない。しかしながら、本実施形態では、前記正対の場合だけでなく、様々な測色位置ＰＭｎで測色するので、例えば、図１２（Ａ）に示すクロスハッチの補正用画像ＣＰを、表示装置ＤＰから見て表示装置ＤＰの表示面中央位置より左側に寄った測色位置で２次元測色計ＭＤが見込んだ場合に、２次元測色計ＭＤには、図１２（Ｂ）に示すように、紙面右側が大きくなる一方紙面左側が小さくなるように、略台形形状に歪んだ補正用画像ＤＣＰ−１が撮像される。また例えば、図１２（Ａ）に示すクロスハッチの補正用画像ＣＰを、表示装置ＤＰから見て表示装置ＤＰの表示面中央位置より下側に寄った測色位置で２次元測色計ＭＤが見込んだ場合に、２次元測色計ＭＤには、図１２（Ｃ）に示すように、紙面上側が大きくなる一方紙面下側が小さくなるように、略台形形状に歪んだ補正用画像ＤＣＰ−２が撮像される。このため、同一対象（例えば同一の基準位置画像ＲＰ（ｉ、ｊ））であっても、表示装置ＤＰ上での座標値と、２次元測色計ＭＤ上での座標値とが一致しない。そこで、本実施形態では、後述のように、２次元測色計ＭＤで測色した測色結果における位置の第１座標（ｘｃ、ｘｃ）が、表示装置ＤＰの表示面における位置の第２座標（ｘｄ、ｙｄ）に一致するように、補正が行われる。なお、以下の説明では、表示装置ＤＰの表示面に表示された補正用画像ＣＰを「表示補正用画像ＣＰ」と適宜に呼称し、これを撮像することによって得られた２次元測色計ＭＤでの補正用画像ＤＣＰを「撮像補正用画像ＤＣＰ」と適宜に呼称する。
【００７７】
より具体的には、まず、表示装置ＤＰにおける図略の電源スイッチがオンされると、ＤＰ制御処理部１４は、必要な各部の初期化を実行し、制御処理プログラムの実行によって、ＤＰ制御処理部１４には、ＤＰ制御部１４１、映像信号生成部１４２、位置処理部１４３、表示調整部１４４、測色情報記憶処理部１４５および位置表示処理部１４６が機能的に構成される。同様に、２次元測色計ＭＤにおける図略の電源スイッチがオンされると、必要な各部の初期化を実行し、制御処理プログラムの実行によって、ＭＤ制御処理部２２には、ＭＤ制御部２２１、位置座標補正部２２２および測色位置取得出力処理部２２３が機能的に構成される。
【００７８】
この２次元測色処理では、まず、例えば、図３に示すように、第１測色位置ＰＭ１に２次元測色計ＭＤが配置される。そして、表示装置ＤＰは、ＤＰ制御処理部１４の位置表示処理部１４６によって、ステレオカメラ１１で生成した一対の画像に基づいて２次元測色計ＭＤの位置（ＭＤｘ、ＭＤｙ、ＭＤｚ）を第１測色位置ＰＭ１として測定する。表示装置ＤＰは、ＤＰ制御処理部１４の位置表示処理部１４６によって、例えば、図１６に示すように、前記測色結果を得るために前記表示面に所定の色を表示する際に、この測定した２次元測色計ＭＤの位置（ＭＤｘ、ＭＤｙ、ＭＤｚ）を表示する。図１６に示す例では、表示部１２には、２次元測色計ＭＤの第１測色位置ＰＭ１として、ＭＤｘ＝０、ＭＤｙ＝０、ＭＤｚ＝１０００が表示されている。また図１６には、２次元測色計ＭＤを表示部１２の表示面上に正射影した場合における２次元測色計ＭＤの影が破線で示されている。なお、このような色度輝度調整用画像の表示処理は、図略の入力装置を介したオペレータの指示によって実施されて良く、また、ＭＤＩＦ２３およびＤＰＩＦ部１７を介した２次元測色計ＭＤの指示（制御信号）によって実施されて良い。
【００７９】
一方、２次元測色計ＭＤは、２次元測定部２１によって表示装置ＤＰの表示部１２の画像を生成し、ＭＤ制御処理部２２によって、前記生成した表示部１２の画像から測色結果を求め、ＭＤ制御処理部２２の測色位置取得出力処理部２２３によって、前記生成した表示部１２の画像から、公知の文字認識技術によって、表示部１２の表示面に表示された２次元測色計ＭＤの位置（ＭＤｘ、ＭＤｙ、ＭＤｚ）を第１測色位置ＰＭ１として求める（図１６に示す例では、ＭＤｘ＝０、ＭＤｙ＝０、ＭＤｚ＝１０００）。
【００８０】
そして、このような２次元測色処理に続けて、補正情報の生成処理が実行される。より具体的には、図１３において、表示装置ＤＰは、ＤＰ制御処理部１４のＤＰ制御部１４１によって、ＤＰ記憶部１５の補正用画像情報記憶部１５２に記憶された補正用画像、例えば、図１０（Ａ）に示す補正用画像ＣＰを表示部１２の表示面に全画面表示で表示する（Ｓ１１）。この補正用画像ＣＰの表示は、図略の入力装置を介したオペレータの指示によって実施されて良く、また、ＭＤＩＦ２３およびＤＰＩＦ部１７を介した２次元測色計ＭＤの指示（制御信号）によって実施されて良い。
【００８１】
次に、２次元測色計ＭＤは、ＭＤ制御部２２１によって、表示装置ＤＰの表示面に表示された補正用画像（表示補正用画像）ＣＰを、２次元測定部２１によって撮像し、２次元測色計ＭＤでの補正用画像（撮像補正用画像）ＤＣＰを生成する（Ｓ１２）。
【００８２】
次に、２次元測色計ＭＤは、位置座標補正部２２２によって、撮像補正用画像ＤＣＰにおける各基準位置画像ＤＲＰ（ｉ、ｊ）の第１座標での各座標値（ｘｃ（ｉ）、ｙｃ（ｊ））を求める（Ｓ１３）。より具体的には、本実施形態では、表示補正用画像ＣＰは、背景が黒で複数の白い第１および第２線状画像から成り、その各交点が各基準位置画像ＲＰ（ｉ、ｊ）であるので、位置座標補正部２２２は、まず、２次元測定部２１によって撮像した撮像補正用画像ＤＣＰを各画素ごとに予め設定された所定の閾値で２値化し、この２値化した撮像補正用画像ＤＣＰから直線のハフ変換等によって直線を抽出することで、第１および第２線状画像を求め、これらの各交点を各基準位置画像ＤＲＰ（ｉ、ｊ）として、これら各交点の座標値（ｘｃ（ｉ）、ｙｃ（ｊ））を求める。その一例が図１４に示されている。なお、この図１４に示す例は、２次元測色計ＭＤが第３測色位置ＰＭ３に配置された場合における各基準位置画像ＤＲＰ（ｉ、ｊ）の第１座標での各座標値（ｘｃ（ｉ）、ｙｃ（ｊ））である。
【００８３】
次に、２次元測色計ＭＤは、位置座標補正部２２２によって、補正情報を補正情報記憶部２４２に記憶する（Ｓ１４）。
【００８４】
補正情報は、上述したように、２次元測色計ＭＤでの第１座標（ｘｃ、ｙｃ）を表示装置ＤＰでの第２座標（ｘｄ、ｙｄ）に一致するように補正する際に用いられるデータであり、例えば、処理Ｓ１３で求めた各基準位置画像ＤＲＰ（ｉ、ｊ）の第１座標での各座標値（ｘｃ（ｉ）、ｙｃ（ｊ））である。この場合では、例えば図１４に示す各基準位置画像ＤＲＰ（ｉ、ｊ）の第１座標での各座標値（ｘｃ（ｉ）、ｙｃ（ｊ））が補正情報記憶部２４２に記憶される。この場合では、図１４に示す各基準位置画像ＤＲＰ（ｉ、ｊ）の各座標値（ｘｃ（ｉ）、ｘｃ（ｊ））と、図１０（Ｂ）に示す各基準位置画像ＲＰ（ｉ、ｊ）の各座標値（ｘｄ（ｉ）、ｙｄ（ｊ））とを、互いに対応する同じ基準位置画像ＤＰＲ（ｉ、ｊ）＝ＤＰ（ｉ、ｊ）で対比することで、２次元測色計ＭＤでの位置の第１座標（ｘｃ（ｉ）、ｙｃ（ｊ））を表示装置ＤＰでの位置の第２座標（ｘｄ（ｉ）、ｙｄ（ｊ））に一致するように補正できる。例えば、図１４に示す２次元測色計ＭＤでの位置の第１座標（２００、１９２）は、１行１列の基準位置画像ＲＰ（１、１）の座標値であり、図１０（Ｂ）では、表示装置ＤＰでの位置の第２座標（６０、６０）に当たる。したがって、２次元測色計ＭＤでの第１座標（２００、１９２）は、表示装置ＤＰでの第２座標（６０、６０）へ変換されて補正される（すなわち、２次元測色計ＭＤでの第１座標（２００、１９２）の測色値は、表示装置ＤＰでの第２座標（６０、６０）での測色値とされる）。
【００８５】
また例えば、補正情報は、図１５に示すように、Ｘ座標値およびＹ座標値それぞれの対応テーブルで記憶されても良い。図１４から分かるように、各基準位置画像ＤＲＰ（ｉ、ｊ）の各第１座標（ｘｃ（ｉ）、ｙｃ（ｊ））は、各行ではｘｃ座標のみｉに応じて線形で変化し、各列ではｙｃ座標のみｊに応じて線形で変化しているので、２次元測色計ＭＤでの第１座標の座標値ｘｃ（ｉ）と表示装置ＤＰでの第２座標の座標値ｘｄ（ｉ）との対応関係を示すｘ座標値対応テーブル（図１５（Ａ））と、２次元測色計ＭＤでの第１座標の座標値ｙｃ（ｉ）と表示装置ＤＰでの第２座標の座標値ｙｄ（ｉ）との対応関係を示すｙ座標値対応テーブル（図１５（Ｂ））とが、補正情報として、補正情報記憶部２４２に記憶される。例えば、２次元測色計ＭＤでの第１座標（２００、１９２）は、図１５（Ａ）からｘｃ＝２００は、ｘｄ＝６０に変換されて補正され、図１５（Ｂ）からｙｃ＝１９２は、ｙｄ＝６０に変換されて補正される。したがって、２次元測色計ＭＤでの第１座標（２００、１９２）は、表示装置ＤＰでの第２座標（６０、６０）へ変換されて補正される。
【００８６】
また例えば、補正情報は、ｘ座標値およびｙ座標値それぞれの変換式で記憶されても良い。図１４に示す例では、回帰直線を求めることにより、変換式は、ｘ座標値に関し、ｘｄ＝１．２７×ｘｃ−１４９となり、ｙ座標値に関し、ｙｄ＝１．３８×ｙｃ−１９１となる。例えば、２次元測色計ＭＤでの第１座標（２００、１９２）は、ｘ座標値の変換式からｘｃ＝２００は、ｘｄ＝１．２７×２００−１４９＝１０５に変換されて補正され、ｙ座標値の変換式からｙｃ＝１９２は、ｙｄ＝１．３８×１９２−１９１＝７３．９６に変換されて補正される。したがって、２次元測色計ＭＤでの第１座標（２００、１９２）は、表示装置ＤＰでの第２座標（１０５、７４）へ変換されて補正される。なお、非線形の場合には、例えばラグランジュ補間等によって変換式が求められる。
【００８７】
このように第１測定位置ＰＭ１の補正情報が生成されると、２次元測色計ＭＤは、位置座標補正部２２２によって、前記２次元測色処理で生成された前記測色結果における第１座標での各位置（ｘｃ、ｙｃ）を、前記補正情報を用いて、表示装置ＤＰにおける表示面の第２座標での各位置（ｘｄ、ｙｄ）に変換して補正する。好ましくは、各基準位置画像ＲＰ（ｉ、ｊ）の各位置は、例えば図５〜図９に示す各単位領域の中央位置とされ、２次元測色計ＭＤにおいて、この中央位置の画素に対する水平方向に前後の複数画素（例えば１０画素ずつ等）および垂直方向に前後に複数画素（例えば１０画素ずつ等）の各画素値の平均値が前記測定結果とされて良い。また、第１座標（ｘｃ、ｙｃ）に当たる補正情報が無い場合には、前記第１座標（ｘｃ、ｙｃ）に当たる補正情報は、第１座標（ｘｃ、ｙｃ）に近い位置の補正情報から補間によって求められても良い。そして、２次元測色計ＭＤは、測色位置取得出力処理部２２３によって、前記求めた２次元測色計ＭＤの位置（ＭＤｘ、ＭＤｙ、ＭＤｚ）を対応付けて前記補正後の測定結果をＭＤＩＦ部２３から表示装置ＤＰへ出力する。
【００８８】
そして、表示装置ＤＰは、ＤＰ制御処理部１４の測色情報記憶処理部１４５によって、２次元測色計ＭＤからＤＰＩＦ部１７で取得した２次元測色計ＭＤの位置付き前記補正後の測色結果を前記測色情報として測色情報記憶部１５１に記憶する。なお、２次元測色計ＭＤと表示装置ＤＰとは、無線で接続されて良く、また、ケーブルＣを介して互いに接続されて良い。
【００８９】
そして、このような第１測色位置ＰＭ１で実施された各処理が第２から第５測色位置ＰＭ２〜ＰＭ５それぞれで順次に実施され、第１から第５測色位置ＰＭ１〜ＰＭ５に関する、前記補正後の測色結果から成る測色情報が測色情報記憶部１５１に記憶される。
【００９０】
また、測色処理における時間の短縮化やその労力の低減化を図るために、例えば、図４に示すように、５個の第１から第５測色位置ＰＭ１〜ＰＭ５それぞれに５個の２次元測色計ＭＤ−１〜ＭＤ−５が同時に、配置され、上述の各処理が実施されて良い。なお、この場合では、２次元測色計ＭＤは、自機を特定し他の２次元測色装置ＭＤから識別するための識別子である測色計識別子（測色計ＩＤ）をＭＤ記憶部２４に予め記憶し、表示装置ＤＰのＤＰ記憶部１５には、２次元測色計ＭＤのおおよその位置と測色計ＩＤとを対応付けて予め記憶しておく。例えば、表示装置ＤＰにおける位置の検出範囲が複数の領域に分割され、測色計ＩＤは、その該当する領域に割り付けて予め記憶される。そして、表示装置ＤＰは、２次元測色計ＭＤの位置を検出し、この検出した位置に対応する測色計ＩＤを選択し、前記検出した２次元測色計ＭＤの位置と前記選択した測色計ＩＤを表示し、２次元測色計ＭＤは、表示部１２の表示面に表示された２次元測色計ＭＤの前記位置をその測色位置として取得する際に、自機の測色計ＩＤに対応する２次元測色計ＭＤの前記位置を取得する。
【００９１】
表示装置ＤＰは、このような測色処理が実施された後に、出荷される。
【００９２】
（表示調整）
次に、表示装置ＤＰの表示状態の調整に関する動作について説明する。本実施形態における表示システムＤＳおよび表示装置ＤＰは、例えば静止画や動画等のコンテンツを表示部１２に表示する際に、表示状態の調整に関し、前記静止画を表示する場合にはその際に、また、前記動画を表示する場合には各フレームごとに、あるいは、数フレームごとに、次のように動作する。なお、ステレオカメラ１１および位置処理部１４３は、開始以降、常時、動作してモニタしている。
【００９３】
図１７において、まず、ＤＰ制御処理部１４は、ステレオカメラ１１によって一対の画像を生成し、位置処理部１４３によってユーザの所在位置（Ｕｘ、Ｕｄ、Ｕｚ）を求めて検出する（Ｓ２１）。
【００９４】
次に、ＤＰ制御処理部１４は、表示調整部１４４によって、測色情報記憶部１５１に記憶された測色情報から、前記ユーザの所在位置（Ｕｘ、Ｕｙ、Ｕｚ）に応じた測色結果を選定し、取り出す。なお、表示調整部１４４は、上述した補間の処理を実行してもよい。
【００９５】
例えば、前記ユーザの所在位置（Ｕｘ、Ｕｙ、Ｕｚ）が座標（−７００、０、１０００）である場合、表示調整部１４４は、測色情報記憶部１５１に記憶された測色情報から、Ｕｘ＝ＭＤｘ＝−７００、Ｕｙ＝ＭＤｙ＝０、Ｕｚ＝ＭＤｚ＝１０００の座標位置に配置された２次元測色計ＭＤで測色された図５に示す測色結果を選定し、取り出す。また例えば、前記ユーザの所在位置（Ｕｘ、Ｕｙ、Ｕｚ）が座標（−３５０、０，１０００）である場合、表示調整部１４４は、測色情報記憶部１５１に記憶された測色情報から、Ｕｘ＝ＭＤｘ＝−３５０、Ｕｙ＝ＭＤｙ＝０、Ｕｚ＝ＭＤｚ＝１０００の座標位置に近い位置に配置された２次元測色計ＭＤで測色された図４および図５に示す各測色結果を選定し、これら図４および図５に示す各測色結果に基づいて、補間によって、前記座標（−３５０、０，１０００）に対応する測色結果を生成する。
【００９６】
次に、ＤＰ制御処理部１４は、表示調整部１４４によって、表示部１２における各画素ごとに、この取り出した測色結果と前記目標の見え方との差を補償するように前記表示面上の位置に応じた調整値をそれぞれ生成する（Ｓ２３）。
【００９７】
そして、ＤＰ制御処理部１４は、処理Ｓ２３で求めた各調整値を用いて表示を行い（Ｓ２４）、処理を終了する。例えば、前記静止画の表示では、ＤＰ制御処理部１４は、処理Ｓ２３で求めた各調整値を用いて前記静止画の各画素値をそれぞれ調整して前記静止画を表示部１２に表する。また例えば、前記動画の表示では、ＤＰ制御処理部１４は、処理Ｓ３で求めた各調整値を用いて前記動画におけるフレームの各画素値を調整して前記動画のフレームを表示部１２に表示する。
【００９８】
一例として、前記ユーザの所在位置（Ｕｘ、Ｕｙ、Ｕｚ）が座標（−７００、０、１０００）である場合、座標（−１５、０）の領域における測定結果（輝度Ｙ＝１００ｃｄ／ｍ２、色度ｘ＝０．３１２７、色度ｙ＝０．３２９０）が前記目標の見え方となり、表示部１２における表示面の各領域の測定結果それぞれと目標の見え方（輝度Ｙ＝１００ｃｄ／ｍ２、色度ｘ＝０．３１２７、色度ｙ＝０．３２９０）との差がそれぞれ求められ、これら各差を各領域に対する各調整値として、各領域における各画素の表示状態が調整される。例えば、座標（１４、０）の領域では、その測定結果（輝度Ｙ＝５０ｃｄ／ｍ２、色度ｘ＝０．３３６、色度ｙ＝０．３５５）と目標の見え方（輝度Ｙ＝１００ｃｄ／ｍ２、色度ｘ＝０．３１２７、色度ｙ＝０．３２９０）との差が求められ、この差を調整値として、座標（１４、０）の領域における各画素の表示状態が調整される（例えば、各画素の輝度Ｙは、その差５０ｃｄ／ｍ２を補償するようにアップされる。すなわち、各画素の輝度Ｙは、２倍される）。
【００９９】
以上説明したように、本実施形態における表示システムＤＳでは、表示装置ＤＰは、位置処理部１４３で求めたユーザの所在位置（Ｕｘ、Ｕｙ、Ｕｚ）と測色情報記憶部１５１に記憶された前記測色情報とに基づいて、前記ユーザの所在位置（Ｕｘ、Ｕｙ、Ｕｚ）から表示部１２の表示面を見た場合に予め設定された目標の見え方となるように、表示部１２の表示状態を調整する表示調整部１４４を備えるので、前記ユーザの所在する所在位置（Ｕｘ、Ｕｙ、Ｕｚ）に応じて表示状態（表示出力）を調整できる。この表示状態の調整のために、上記表示装置ＤＰは、前記表示面に対する複数の測色位置ＰＭｎそれぞれから前記表示面を測定対象として２次元測色計ＭＤによって２次元で測色し、そして、位置座標補正部２２２によって補正された前記補正後の複数の測色結果を測色情報として測色情報記憶部１５１に記憶する。２次元測色計ＭＤは、複数の測色位置ＰＭｎそれぞれから前記表示面を見込むので、２次元測色部ＭＤで得られる前記表示面の像は、例えば台形状に歪むが、本実施形態における表示システムＤＳ、表示装置測定方法および表示装置測定プログラムは、前記測色結果における位置の第１座標（ｘｃ、ｙｃ）を、表示装置ＤＰの表示面における位置の第２座標（ｘｄ、ｙｄ）に一致するように、補正するので、表示装置ＤＰに対する様々な測色位置で、２次元測色計の光学系による影響を補正しながら表示装置ＤＰを測色できる。したがって、本実施形態における表示システムＤＳ、表示装置測定方法および表示装置測定プログラムは、表示装置ＤＰに対する様々な測色位置ＰＭｎで２次元測色計ＭＤによって適切に表示装置ＤＰを測色でき、この測色結果に基づき、表示面に対するユーザの所在する所在位置（Ｕｘ、Ｕｙ、Ｕｚ）に応じて表示状態（表示出力）を調整できる。
【０１００】
ユーザは、表示面の各位置を、前記各位置に応じた各角度で見込むため、前記各位置に応じた各見え方で見えることになる。本実施形態における表示システムＤＳでは、表示装置ＤＰは、前記表示面上の位置に応じた調整値で、表示部１２の表示状態を調整するので、前記各位置に応じた各見え方を個々に調整できる。
【０１０１】
また、本実施形態における表示システムＤＳでは、基準位置を表す複数の基準位置画像ＲＰ（ｉ，ｊ）を含む補正用画像ＣＰ（ｉ、ｊ）を用いるので、２次元測色計ＭＤは、同一の基準位置画像ＤＲＰ（ｉ，ｊ）、ＲＰ（ｉ，ｊ）において、表示装置ＤＰでのその位置の座標値（ｘｄ（ｉ）、ｙｄ（ｊ））と２次元測色計ＭＤでのその位置の座標値（ｘｃ（ｉ）、ｙｃ（ｊ））とを対比することで、より簡単に補正できる。
【０１０２】
また、本実施形態における表示システムＤＳでは、表示装置ＤＰは、２次元測色計ＭＤで測色した測色結果を取得するので、自動的に、前記測色結果を前記測色情報として測色情報記憶部１５１に記憶できる。
【０１０３】
なお、上述の実施形態では、位置座標補正部２２２は、２次元測色計ＭＤに備えられたが、表示装置ＤＰに備えられても良い。あるいは、表示システムＤＳは、２次元測色計ＭＤおよび表示装置ＤＰとは別体の例えばコンピュータ等の情報処理装置をさらに備え、位置座標補正部２２２は、この情報処理装置に備えられても良い。
【０１０４】
また、上述の実施形態では、表示部１２の表示面に対するユーザの所在位置（Ｕｘ、Ｕｙ、Ｕｚ）を検出する位置検出部は、ステレオカメラ１１と位置処理部１４３とを備えて構成されたが、これに限定されるものではない。例えば、前記位置検出部は、所定の間隔を空けて２次元アレイ状に配列された複数の焦電素子、距離計および情報処理回路等を備えて構成され、前記情報処理回路は、複数の焦電素子における各出力からユーザの所在する方向（Ｕｘ、Ｕｙ）を検出し、この検出した方向（Ｕｘ、Ｕｙ）へ前記距離計によってユーザまでの距離（Ｕｚ）を測定することで、ユーザの所在位置（Ｕｘ、Ｕｙ、Ｕｚ）を検出しても良い。前記距離計は、例えば、超音波やレーザ光のパルスを送受信し、そのＴＯＦ（Ｔｉｍｅ  Ｏｆ  Ｆｒｉｇｈｔ）から測定対象（ユーザ）までの距離を求めるＴＯＦ方式距離計等である。また例えば、前記位置検出部は、ＬＩＤＡＲ（Ｌａｓｅｒ  Ｉｍａｇｉｎｇ  Ｄｅｔｅｃｔｉｏｎ  ａｎｄ  Ｒａｎｇｉｎｇ）技術を用いることによって、被写体までの距離を表す情報で表現された複数の画素で構成される距離画像（Ｕｘ、Ｕｙ、Ｕｚ）を生成する距離画像センサおよび情報処理回路等を備えて構成され、前記情報処理回路は、距離画像から、例えば予め用意された人物モデルのパターンマッチングによって、あるいは、人物検出用に学習したニューラルネットワークによって、人物領域を検出し、この検出した人物領域内における所定点の位置を前記ユーザの所在位置（Ｕｘ、Ｕｙ、Ｕｚ）として検出しても良い。
【０１０５】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０１０６】
ＤＳ  表示システム
ＤＰ  表示装置
ＭＤ  ２次元測色計
１１  ステレオカメラ
１２  表示部
１４  表示側制御処理部（ＤＰ制御処理部）
１５  表示側記憶部（ＤＰ記憶部）
１６  アンテナ
１７  表示側インターフェース部（ＤＰＩＦ部）
２１  ２次元測色部
２２  測色側制御処理部（ＭＤ制御処理部）
２３  測色側インターフェース部（ＭＤＩＦ部）
２４  測色側記憶部（ＭＤ記憶部）
１４２  映像信号生成部
１４３  位置処理部
１４４  表示調整部
１４５  測色情報記憶処理部
１４６  位置表示処理部
１５１  測色情報記憶部
１５２  補正用画像情報記憶部
２２２  位置座標補正部
２２３  測色位置取得出力処理部
２４１  第２座標位置情報記憶部
２４２  補正情報記憶部
【図１】
2017107052.tif 000003
【図２】
2017107052.tif 000004
【図３】
2017107052.tif 000005
【図４】
2017107052.tif 000006
【図５】
2017107052.tif 000007
【図６】
2017107052.tif 000008
【図７】
2017107052.tif 000009
【図８】
2017107052.tif 000010
【図９】
2017107052.tif 000011
【図１０】
2017107052.tif 000012
【図１１】
2017107052.tif 000013
【図１２】
2017107052.tif 000014
【図１３】
2017107052.tif 000015
【図１４】
2017107052.tif 000016
【図１５】
2017107052.tif 000017
【図１６】
2017107052.tif 000018
【図１７】
2017107052.tif 000019
【図１８】
2017107052.tif 000020